(57)【要約】【課題】包装用箱に収納されたアンプル等の外部衝撃による破損及び散逸を効果的に防止する為に天面中央部でも十分な緩衝効果が得られる包装用箱を提供する。【解決手段】天面を開放した下箱部３０と天面の一部を閉鎖する中蓋部２０と中蓋部２０を上から覆い天面を閉鎖する上蓋板１０を有し、一枚紙の箱形成用基板１を折り曲げ組み立てた包装用箱Ｓで、中蓋部２０は、当接部２２ａ、連結支持部２２ｂ、中蓋板２１、の順に折れ線を介して連設した緩衝部形成板２２から形成される。当接部２２ａは連結支持部２２ｂにより中蓋板２１から所定間隔をなすように保持されて中蓋部２０に２重構造が形成される。連結支持部２２ｂは、当接部２２ａと物品との当接位置（好ましくは天面の略中央部）に配置され、一列に配列された物品の端から端まで届く長さとされる。連結支持部２２ｂにより側面開封としても同様の緩衝効果が得られる。【選択図】図３
2006312491.tif 000002
【特許請求の範囲】
【請求項１】
略矩形状の底面及び天面と、該底面と該天面とを接続する側面と、前記天面に沿って配設された緩衝部と、を備えた包装用箱であって、
前記緩衝部は１片の緩衝部形成片を折り曲げ組み立てて形成され、
該緩衝部形成片は、一端が前記天面の所定位置に接続され前記天面に対して略垂直をなす支持面を形成する支持片と、該支持片の他端に一端が接続され他端が前記側面に接続されると共に前記天面に略平行かつ前記天面と所定間隔をなすように位置される当接面を形成する当接片と、を有し、該当接片と前記支持片とを折れ線を介して連設して形成され、
前記支持面は、前記緩衝部と前記底面との間に収納される物品と前記当接面との当接位置において前記当接面と接続されてなることを特徴とする包装用箱。
【請求項２】
前記支持面と前記当接面との接続部が、前記緩衝部と前記底面との間に配列される全ての物品と前記当接面との当接位置に設けられてなることを特徴とする請求項１に記載の包装用箱。
【請求項３】
略矩形状の底面と側面とを有し天面が開放された下箱と、前記天面の一部を閉鎖する中蓋と、前記天面を前記中蓋の上から覆うように設けられ、前記天面のうち前記中蓋により閉鎖されない部位を含んで閉鎖する上蓋と、を備えた包装用箱であって、
前記中蓋は１片の中蓋形成片を折り曲げ組み立てて形成され、
該中蓋形成片は、一端が前記下箱の一側面上端に接続する中蓋面を形成する中蓋片と、前記中蓋面の前記底面側に該中蓋面と略平行をなすように組み立てられ一端が前記一側面に接続される当接面を形成する当接片と、前記中蓋面と前記当接面とに略垂直をなすように接続され前記中蓋面と前記当接面とを所定の間隔をなすように連結する支持面を形成する支持片と、を有し、前記当接片、前記支持片、前記中蓋片、の順に折れ線を介して連設して形成されてなり、
前記支持面は、前記当接面と前記下箱内部の物品との当接位置において前記当接面と接続されてなることを特徴とする包装用箱。
【請求項４】
前記支持面と前記当接面との接続部が、前記下箱内に並べて配列される全ての物品と前記当接面との当接位置に設けられてなることを特徴とする請求項３に記載の包装用箱。
【請求項５】
前記中蓋片には、前記下箱の側面上端に接続された側と反対側の端部に一対の切込みが形成され、該切込みにより、前記中蓋片の一部に切り起こし片が形成され、
該切り起こし片は、その基部側が前記支持片となされ、先端側が前記当接片となされることを特徴とする請求項３記載の包装用箱。
【請求項６】
前記支持面と前記当接面との接続部が、前記下箱の側面のうち、前記当接片が接続される側面に隣接する側面から該側面に対向する側面まで届くように設けられてなることを特徴とする請求項３に記載の包装用箱。
【請求項７】
前記支持面は、前記当接片が接続される側面と略平行であって前記天面の略中央に位置されることを特徴とする請求項１乃至請求項６のいずれか一項に記載の包装用箱。
【請求項８】
前記上蓋を形成する上蓋片、前記下箱の側面を構成する第１側面片、前記下箱の底面を形成する底面片、前記第１側面片に対向する側面を形成する第２側面片、前記中蓋片、の順に折れ線を介して連設され、
前記底面片の両側にそれぞれ第３側面片、第４側面片が折れ線を介して設けられ、前記第１側面片及び前記第２側面片の両側にそれぞれフラップ片が折れ線を介して設けられ、前記中蓋片の両側に前記第３側面片、前記第４側面片をそれぞれ外側から覆う第５側面片、第６側面片が折れ線を介して設けられてなる１枚の箱形成用基板を折り曲げて形成されることを特徴とする請求項３乃至請求項７のいずれか一項に記載の包装用箱。
【請求項９】
前記上蓋には破断可能な切込みが形成され、該切込みにより開封可能に構成されてなることを特徴とする請求項３または請求項８に記載の包装用箱。
【発明の詳細な説明】
【技術分野】
【０００１】
本発明は、割れ易いアンプル等を収納するための包装用箱に係り、特に、外部衝撃によるアンプル等の破損及び散逸を防止することが可能な緩衝構造を備えた包装用箱に関する。
【背景技術】
【０００２】
従来、包装用の紙箱等にアンプル等の割れ易い内容物を収納する場合には、内容物を外部衝撃から守るため、紙箱と内容物との隙間に発泡部材やエアーキャップなどの緩衝材が充填されていた。また、内容物の形に合わせて成形された緩衝材からなる成型品に内容物を収めてから、紙箱の中に収納することが行われていた。
【０００３】
このような包装方法では、紙箱とは別体で緩衝材を準備する必要があり、また、包装工程が煩雑化されるため、包装コストがかかるという問題点があった。そこで、１枚のブランク板を折り畳んで組み立てられる紙箱において、紙箱の内周面全面に緩衝部を形成する考案が知られている（例えば、特許文献１参照）。
【０００４】
【特許文献１】実用新案登録第２５６２６４８号公報（第３頁、図２）
【０００５】
特許文献１の緩衝紙箱は、紙箱の天面を構成する上蓋の端部が延長されて上蓋よりも幅狭な蓋部緩衝板が形成されている。そして、この蓋部緩衝板を折り曲げて先端を上蓋の裏側に貼り付けることにより、上蓋の外周部を除く広範囲な部分が２重構造とされている。そして、この緩衝紙箱には、側面及び底面を２重構造とする内側箱体が設けられている。このような構成により、上蓋を閉じると内側箱体の上部の開口に上蓋の２重構造部分（蓋緩衝部）が嵌入閉鎖されるように構成されている。これにより、収納空間の全周面に緩衝空間が形成される。
【発明の開示】
【発明が解決しようとする課題】
【０００６】
しかしながら、特許文献１の構成では、収納空間の天面全面が２重構造部分とされている。そして、２重構造の箱体内部側の面を構成する蓋部緩衝板は、収納空間の側面に近接する端位置においてのみ上蓋に連結されている。つまり、上蓋と蓋部緩衝板との間隔を保持する部材は、収納空間の端位置にのみ設けられている。このような構成では、蓋緩衝部の中央部には支持部材が設けられていないので、押圧されると容易に撓みが生じ、収納空間の中央部に位置する内容物に対して十分な緩衝効果が得られないという問題点があった。
また、特許文献１の構成では、１枚のブランクシートから打ち抜いた紙製基板で内側箱体及び外側箱体を形成しているので、組み立てが煩雑で製造に手間がかかるという問題点があった。
【０００７】
本発明は、上記問題点に鑑みてなされたものであり、その目的は、収納空間に収納されたアンプル等の内容物の外部衝撃による破損及び散逸を効果的に防止するために、天面中央部においても十分な緩衝効果が得られる緩衝構造を備えた包装用箱を提供することにある。
【０００８】
また、本発明の他の目的は、１枚の基板の折り曲げによって箱体及び緩衝構造を形成することにより、製造工程を簡易化することが可能な包装用箱を提供することにある。
また、本発明の他の目的は、天面側から開封可能とすることにより、内容物が取り出しやすい包装用箱を提供することにある。
【課題を解決するための手段】
【０００９】
前記課題は、請求項１に係る包装用箱によれば、略矩形状の底面及び天面と、該底面と該天面とを接続する側面と、前記天面に沿って配設された緩衝部と、を備えた包装用箱であって、前記緩衝部は１片の緩衝部形成片を折り曲げ組み立てて形成され、該緩衝部形成片は、一端が前記天面の所定位置に接続され前記天面に対して略垂直をなす支持面を形成する支持片と、該支持片の他端に一端が接続され他端が前記側面に接続されると共に前記天面に略平行かつ前記天面と所定間隔をなすように位置される当接面を形成する当接片と、を有し、該当接片と前記支持片とを折れ線を介して連設して形成され、前記支持面は、前記緩衝部と前記底面との間に収納される物品と前記当接面との当接位置において前記当接面と接続されてなることにより解決される。
【００１０】
このように、本発明では、略矩形状の底面と天面を側面により接続して形成した包装用箱の天面に沿って緩衝部が設けられている。この緩衝部は、天面と略平行かつ天面と所定間隔をなす位置に設けられた当接面を備えている。つまり、この緩衝部は、天面と当接面との間に緩衝空間を設けた２重構造部とされている。
そして、本発明では、包装用箱の内部すなわち緩衝部と底面との間に収納された物品は、天面側に緩衝空間を有する当接面により当接支持される。この当接面は、物品と当接する位置において支持面に接続されるように位置設定されている。２重構造の緩衝部は、支持面が設けられていない位置では、衝撃によって当接面が容易に撓むために十分な緩衝効果が得られない。これに対し、支持面が設けられた位置では、支持面により当接面が弾性的に支持されているので当接部が撓みにくい。つまり、支持面が設けられた位置で当接面に物品が当接されていれば、外部からの衝撃に対して十分な緩衝効果が得られるので、物品はがたつくことなく確実に支持される。
以上のように、本発明では、緩衝部が、当接面と物品との当接位置において当接面が支持面に接続されるように構成されている。従って、外部からの衝撃に対して十分な緩衝効果が得られ、物品の破損及び散逸を効果的に防止することができる。
【００１１】
また、本発明では、このような緩衝効果を有する緩衝部を、当接片と支持片とを折れ線を介して連設してなる１枚の緩衝部形成片を折り曲げて形成する。このように、一枚紙によって天面に沿って緩衝部を立体的に立ち上げることができるので、製造工程が簡易化され、低コストで製造可能とされる。
【００１２】
また、請求項２に記載したように、前記支持面と前記当接面との接続部が、前記緩衝部と前記底面との間に配列される全ての物品と前記当接面との当接位置に設けられると好適である。このように構成すると、並べて収納された複数の物品の全てが、当接面のうち、支持面により弾性的に支持されている部位によって当接支持されるので、収納された物品の全てに対して十分な緩衝効果及び物品の散逸防止効果を得ることができる。従って、より効果的に物品の破損及び散逸を防止することができる。
以上のように、支持面を設ける位置を、収納される物品の形状、大きさ、配列に応じて調整することで、より効果的に物品の破損及び散逸を防止するように構成することができる。
【００１３】
また、前記課題は、請求項３に係る包装用箱によれば、略矩形状の底面と側面とを有し天面が開放された下箱と、前記天面の一部を閉鎖する中蓋と、前記天面を前記中蓋の上から覆うように設けられ、前記天面のうち前記中蓋により閉鎖されない部位を含んで閉鎖する上蓋と、を備えた包装用箱であって、前記中蓋は１片の中蓋形成片を折り曲げ組み立てて形成され、該中蓋形成片は、一端が前記下箱の一側面上端に接続する中蓋面を形成する中蓋片と、前記中蓋面の前記底面側に該中蓋面と略平行をなすように組み立てられ一端が前記一側面に接続される当接面を形成する当接片と、前記中蓋面と前記当接面とに略垂直をなすように接続され前記中蓋面と前記当接面とを所定の間隔をなすように連結する支持面を形成する支持片と、を有し、前記当接片、前記支持片、前記中蓋片、の順に折れ線を介して連設して形成されてなり、前記支持面は、前記当接面と前記下箱内部の物品との当接位置において前記当接面と接続されてなることにより解決される。
【００１４】
このように、本発明では、天面の一部を中蓋で閉鎖した下箱を形成し、中蓋の上から閉鎖されていない開口部分を上蓋で覆って閉鎖する構成としているので、上蓋を開封することにより、天面のうち中蓋により閉鎖されない開口部分から内部の物品が取り出し可能とされる。すなわち、天面から開封可能となる。
【００１５】
また、本発明では中蓋面の底面側に、中蓋面と略平行に当接面が設けられ、かつ、この中蓋面と当接面とを所定の間隔をなすように連結する支持面が設けられているので、中蓋面と当接面との間に緩衝空間を設けることができる。つまり、天面に２重構造部を設けることができる。このような構成において、請求項１と同様に、包装用箱の下箱内部に収納された物品は、天面側に緩衝空間を有する当接面により当接支持される。そして、この当接面は、物品と当接する位置において支持面に接続されるように位置設定されている。従って、外部からの衝撃に対して十分な緩衝効果が得られ、物品の破損及び散逸を効果的に防止することができる。
また、本発明では、このような緩衝効果を有する中蓋を、当接片、支持片、中蓋片、の順に折れ線を介して連設してなる１枚の中蓋形成片を折り曲げて形成する。従って、請求項１と同様に、一枚紙によって天面の一部を構成する中蓋の底面側に緩衝部を立体的に立ち上げることができるので、製造工程が簡易化され、低コストで製造可能とされる。
【００１６】
また、請求項４に記載のように、前記支持面と前記当接面との接続部が、前記下箱内に並べて配列される全ての物品と前記当接面との当接位置に設けられると好適である。このように構成すると、下箱内に一列に並べて収納された複数の物品の全てが、当接面のうち、支持面により弾性的に支持されている部位によって支持されるので、収納された物品の全てに対して十分な緩衝効果及び物品の散逸防止効果が得られる。従って、より効果的に物品の破損及び散逸を防止することができる。このように、支持面を設ける位置を、収納される物品の形状や大きさに応じて調整することで、十分な緩衝効果を有するように構成することができる。
【００１７】
また、請求項５に記載のように、前記中蓋片には、前記下箱の側面上端に接続された側と反対側の端部に一対の切込みが形成され、該切込みにより、前記中蓋片の一部に切り起こし片が形成され、該切り起こし片は、その基部側が前記支持片となされ、先端側が前記当接片となされるように構成すると好適である。
このように、中蓋片に切込みを設けて形成した切り起こし片を、当接片及び支持片となすように構成することができるので、一片の中蓋形成片から緩衝構造を立体的に立ち上げることができる。これにより、製造工程を簡易化することが可能となる。
【００１８】
また、請求項６に記載のように、前記支持面と前記当接面との接続部が、前記下箱の側面のうち、前記当接片が接続される側面に隣接する側面から該側面に対向する側面まで届くように設けられると好適である。このように構成すると、下箱の側面のうち、中蓋片が接続する一側面に沿って一列に物品を並べる場合に、物品が並ぶ方向の全範囲にわたって当接面が設けられ、かつ、その全範囲が支持面により弾性的に支持されるので、収納された物品の全てをより確実に支持することができる。従って、収納された物品の全てに対して十分な緩衝効果及び物品の散逸防止効果が得られ、より効果的に物品の破損及び散逸を防止することができる。
【００１９】
また、請求項７に記載のように、前記支持面は、前記当接片が接続される側面と略平行であって前記天面の略中央に位置されるように構成すると好適である。このように、支持面が天面の略中央に位置されていれば、物品に確実に当接する位置において十分な緩衝効果を得ることができ、より効果的に物品の破損及び散逸を防止することができる。
【００２０】
また、請求項８に記載のように、前記上蓋を形成する上蓋片、前記下箱の側面を構成する第１側面片、前記下箱の底面を形成する底面片、前記第１側面片に対向する側面を形成する第２側面片、前記中蓋片、の順に折れ線を介して連設され、前記底面片の両側にそれぞれ第３側面片、第４側面片が折れ線を介して設けられ、前記第１側面片及び前記第２側面片の両側にそれぞれフラップ片が折れ線を介して設けられ、前記中蓋片の両側に前記第３側面片、前記第４側面片をそれぞれ外側から覆う第５側面片、第６側面片が折れ線を介して設けられてなる１枚の箱形成用基板を折り曲げて形成されるように構成すると好適である。このように、１枚の基板の折り曲げによって包装用箱及び緩衝構造を形成することにより、製造工程を簡易化することが可能となる。
【００２１】
また、請求項９に記載のように、前記上蓋には破断可能な切込みが形成され、該切込みにより開封可能に構成すると好適である。このように構成すると、上蓋の一部を上方に引っ張るだけで、この切込みの破断により容易に上蓋を開封することができる。よって、上蓋が設けられた天面から容易に開封可能な天面開封型の包装用箱として使用することができる。
【発明の効果】
【００２２】
本発明の包装用箱によれば、以下のような効果を生ずる。
（イ）天面と略平行かつ天面と所定の間隔をなすように当接面を設けることにより天面が一部２重構造とされている。そして、当接面と物品との当接位置において当接面が支持面に接続されている。支持面が設けられた位置では、支持面により当接面が弾性的に支持されているので当接部が撓みにくい。従って、このように構成すると、外部からの衝撃に対して十分な緩衝効果が得られ、内部の物品の破損及び散逸を効果的に防止することができる。
【００２３】
（ロ）収納される物品の形状、大きさ、配列に応じて支持面の位置を調整することで、収納された物品の全てに対して十分な緩衝効果が得られるように構成することができる。
例えば、支持面と当接面との接続部を、収納された全ての物品と当接面との当接位置に設けることにより、収納された複数の物品の全てを、支持面により弾性的に支持された部位で支持することができる。また、天面の略中央に支持面を設ければ、物品に確実に当接する天面中央部において十分な緩衝効果を得ることができる。従って、より効果的に物品の破損及び散逸を防止することができる。
【００２４】
（ハ）１片の緩衝部形成片または中蓋形成片を折り曲げ組み立てることにより、２重構造部からなる緩衝構造を立体的に立ち上げることができる。また、包装用箱全体を１枚の箱形成用基板を折り曲げ組み立てることにより形成することができる。従って、製造工程が簡易化されると共に、低コスト化で製造可能とされる。
【００２５】
（ニ）上蓋を開封することにより、天面の開口部分から内部の物品が取り出し可能とされる。よって、開封後の物品の取り出しが容易であり、好適である。また、破断可能な切込みが設けられているので、上蓋板を引っ張って切り開くことが可能とされている。従って、容易に上蓋を開封することができる。
【発明を実施するための最良の形態】
【００２６】
以下、本発明の一実施形態について、図を参照して説明する。なお、以下に説明する部材、配置等は、本発明を限定するものではなく、本発明の趣旨に沿って各種改変することができることは勿論である。
【００２７】
図１〜図７は本発明の一実施形態に係るものであり、図１は開封前の包装用箱の斜視図、図２は開封後の包装用箱の斜視図、図３は開封前及び開封後の包装用箱の断面図、図４は包装用箱を組み立てるための箱形成用基板の展開図、図５〜図６は包装用箱の組み立て過程を示す説明図である。また、図７はアンプルを包装用箱に収納する状態を示す説明図である。
また、図８は改変例１の包装用箱における緩衝部の位置及び形状を示す説明図、図９、図１０は改変例２の包装用箱の構成を示す説明図、図１１は改変例３の包装用箱の構成を示す説明図である。
また、図１２、図１３は落下試験の試験体の構成を示す説明図、図１４は従来例の緩衝２重構造による緩衝効果を示す説明図である。
【００２８】
（包装用箱の構成）
本例の包装用箱Ｓは、アンプル等を収納するための天面から開封可能な直方体状の箱であって、図１に示すように、長方形の天面及び底面と、底面の四周に設けられた側面とを備え、上蓋板１０と、上蓋板１０により覆われる中蓋部２０と、内部にアンプル等を収納する下箱部３０とにより構成されている。
包装用箱Ｓの天面は、図３（ａ）（図１のＡ１−Ａ１断面図）に示すように、開封前の状態では、下箱部３０の長辺側の側面上端に接続された上蓋板１０を、他の側面上端に接続された中蓋部２０の上に重ねて固定することにより閉鎖されている。
【００２９】
上蓋板１０は、略長方形であって、自由端側の長辺の中央部にわずかに突出する開封片１１が設けられており、図１に示すように、この開封片１１の基端部から両短辺の中央付近まで、破断可能なミシン目状の切込み１２（１２ａ、１２ｂ）が斜めに形成されている。開封片１１を上方に引っ張ってこのミシン目を破断することにより、図２、図３（ｂ）（図２のＢ１−Ｂ１断面図）に示すように、上蓋板１０を切り開いてその下の中蓋部２０に設けられた略台形状の取り出し口を外部に露出させ、包装用箱Ｓを開封することができる。
本例のように天面から開封可能に構成されていると、開封と同時に、収納されたアンプルの外観及び数量を取り出し口から確認することができる。また、開封状態において、アンプルを落下させる可能性が低い。
【００３０】
中蓋部２０は、包装用箱Ｓの天面を、一部を除いて覆うように構成されている。図５、図６はこの包装用箱Ｓの組み立て途中の状態を示すものであるが、この図に示すように、中蓋部２０は、自由端側の長辺の中央部が、天面の中央付近まで略台形状に切り欠かれた形状となるように組み立てられる。この切り欠き部が、アンプル等を取り出すための取り出し口となる。また、中蓋部２０は、図５に示すように、両短辺側に設けられた上側板２３、２４を折り曲げて下箱部３０の短辺側の側面を外側から覆うように構成されている。
なお、この中蓋部２０の組み立てにより、後述するように、中蓋部２０の一部が２重構造とされ、包装用箱Ｓの天面の一部が緩衝作用を有するものとなる。
【００３１】
下箱部３０は、底が浅く直方体状の天面が開放された箱であって、内部にはアンプル２を横一列に並べた状態で収納することができる。アンプル２は、図７（ａ）に示すように、隣り合うアンプル同士が接触しないように、アンプルの外形に合わせた保持部が略等間隔で形成されたトレー型のロンドレーション３の上に保持された状態で収納することができる。このようなロンドレーション３は公知の緩衝材として広く用いられている。
【００３２】
（箱形成用基板の構成）
本例の包装用箱Ｓは、空白紙（ブランクシート）を打ち抜いて形成した一枚紙からなる箱形成用基板１を折り曲げ組み立てることにより形成されている。
箱形成用基板１は、図４に示すように、一端側に上蓋板１０が設けられ、上蓋板１０の長辺側には、略同一幅の下側板３２、底板３１、下側板３３、中蓋板２１がこの順に折れ線を介して連設されている。
底板３１の短辺側には、包装用箱Ｓの短辺側の側面をなす下側板３４、３５がそれぞれ延出されている。また、包装用箱Ｓの長辺側の側面をなす下側板３２の短辺側には、フラップ４１、４２がそれぞれ延出され、下側板３３の短辺側には、フラップ４３、４４がそれぞれ延出されている。なお、下側板及びフラップは、それぞれ、折れ線を介して接続されている。
【００３３】
中蓋板２１には、短辺側に、上側板２３、２４がそれぞれ折れ線を介して延出されている。また、一方の長辺側に、一対の切込み２２ｄ、２２ｅが設けられている。そして、この切込みにより、中蓋板２１の一部に略台形状の緩衝部形成板２２が形成されている。
なお、この緩衝部形成板２２が本発明の切り起こし片に相当し、緩衝部形成板２２を含む中蓋板２１が本発明の中蓋形成板に相当する。
【００３４】
緩衝部形成板２２は、箱体天面の裏側、すなわち中蓋板２１の底面側に、図５等に示すように緩衝部Ｒを形成するものであって、その基部は、折れ線Ａを介して中蓋板２１に接続されている。この折れ線Ａは、中蓋板２１の長辺と略平行であって、中蓋板２１の略中央を通る位置に設けられている。また、緩衝部形成板２２の先端は中蓋板２１から一部突出するように設けられている。
この緩衝部形成板２２は、基部側に連結支持部２２ｂが設けられ、連結支持部２２ｂの先端側には折れ線Ｂを介して略台形状の当接部２２ａが接続され、当接部２２ａの先端側に折れ線Ｃを介して略矩形状の固定部２２ｃが接続されて構成されている。連結支持部２２ｂは、折れ線Ｂと略平行な折れ線Ａを介して、中蓋板２１に接続されている。
なお、この連結支持部２２ｂが本発明の支持片に相当し、当接部２２ａが本発明の当接片に相当する。
【００３５】
このように構成されていると、折れ線Ａの位置で緩衝部形成板２２を底面側に折り曲げることにより、中蓋板２１には、略台形状の切り欠き開口部が形成される。この切り欠き開口部は、開封時に下箱内部の物品を取り出すための取り出し口として利用される。
【００３６】
以上のような箱形成用基板１の構成により、下側板３２、底板３１、下側板３３、下側板３４、３５、フラップ４１、４２、フラップ４３、４４から下箱部３０が形成される。すなわち、図５に示すように、底板３１の四周に下側板３２〜３５を折り曲げて立ち上げる。そして、隣り合う下側板同士をフラップ４１〜４４を介してそれぞれ固定することができる。また、中蓋板２１、緩衝部形成板２２、上側板２３、２４から中蓋部２０が形成される。中蓋部２０は、以下に説明するように、緩衝部形成板２２により中蓋板２１の内側に形成される緩衝部Ｒを備えている。
【００３７】
（緩衝部の構成及び作用効果）
次に、図３、図６を参照しながら、上記のような箱形成用基板１の組み立てにより形成される本例の包装用箱Ｓの特徴的な構成である緩衝部Ｒについて説明する。この緩衝部Ｒは、上記形状の中蓋板２１及び緩衝部形成板２２によって包装用箱Ｓの天面裏側に設けられる２重構造部分であって、天面裏側に緩衝空間Ｒ１を形成するものである。
【００３８】
緩衝空間Ｒ１を備えた緩衝部Ｒを形成するには、上述のように、まず、緩衝部形成板２２の折れ線Ａ、Ｂ及び中蓋板２１の折れ線Ｄ（図４参照）を包装用箱の内部側、すなわち組み立てたときに天面裏側となる側（図６に示す矢印ａの方向）に折り曲げると共に、折れ線Ｃを包装用箱の外部側（図６に示す矢印ｂの方向）に折り曲げる。そして、下側板３３に固定部２２ｃを固定する。このとき、折れ線Ａ乃至Ｄは各々略直角に折り曲げられている。
本例の箱形成用基板１は、折れ線Ａと折れ線Ｄとの間隔が、折れ線Ｃと折れ線Ｂとの間隔に略等しくなるように寸法設定されている。そして、固定部２２ｃは、折れ線Ｄと折れ線Ｃとが連結支持部２２ｂの短辺方向の幅寸法（図３（ｂ）、図６に示す寸法Ｘ）分だけ離間された位置に固定される。
【００３９】
このように緩衝部Ｒを組み立てると、図３（ａ）（ｂ）に示す本例の包装用箱Ｓの断面構成に図示されているように、当接部２２ａは、中蓋板２１より箱内部側（天面裏側となる側）に中蓋板２１と略平行に位置され、中蓋板２１との間に緩衝空間Ｒ１を有する。そして、当接部２２ａは、一端が、折れ線Ａ，Ｂの位置（すなわち、天面の短辺長さの中央付近）において、連結支持部２２ｂを介して中蓋板２１により支持される。また、他端は包装用箱Ｓの側面をなす下側板３３により支持されている。
【００４０】
なお、緩衝部形成板２２を折り曲げることにより、中蓋板２１には、自由端側の長辺の両端を残し天面の中央付近まで略台形状に形成された切り欠き部が形成される。本例では、この切り欠き部が、アンプル等を取り出すための取り出し口とされる。
箱形成用基板１は、このように、中蓋板２１にアンプル等の取り出し口を形成するために切り欠かれる部分を、緩衝部Ｒを形成するために利用する構成となっているので、緩衝部Ｒを形成するために別体の基板を必要としない。従って、製造工程が簡易化されると共に、低コスト化で製造可能とされ、好適である。
【００４１】
以上のように、本例では、一枚紙の箱形成用基板１を切込みを付して形成し、折り曲げ組み立てるという簡易な製造工程により、天面中央に緩衝部Ｒを立体的に立ち上げることができる。すなわち、このような簡易な製造工程により、中蓋板２１と当接部２２ａの２面からなる２重構造と、これら２面の間の緩衝空間Ｒ１と、この緩衝空間Ｒ１の側面部を囲み、２面の間隔が保持されるように当接部２２ａを支持する連結支持部２２ｂ及び下側板３３と、を有する緩衝部Ｒが形成される。そして、このような簡易な構成及び製造工程の緩衝部Ｒにより、以下に説明するように、従来例の緩衝構造に比較して有利な緩衝効果が発揮され、内部に収納したアンプル等を安定的に保持することができる。
【００４２】
本願出願人は、本例のような、支持部と支持部との間に当接面を掛け渡してこの当接面に当接される物体を支持する２重構造の緩衝部は、当接面のうち支持部から離れた部位は、支持部によって支持されている部位に比べて、構造上不安定であって衝撃によって撓みやすく、十分な緩衝効果が得られないことに着目した。例えば、図１４（ａ）に示すように、上述の従来技術の緩衝構造と同様な、蓋部分が全面２重構造であって２重構造部の外周にのみ支持部が設けられた緩衝紙箱では、箱中央部において、物品は支持部から離れた撓みやすい位置で支持されている。従って、衝撃時には、図１４（ｂ）に示すように、当接部が撓むことにより破損等の不具合が発生する可能性がある。また、図１４（ｃ）に示すように、紙箱内でがたついて破損する可能性がある。
【００４３】
これに対し、本願出願人は、アンプル等の破損しやすい内容物を複数並べて収納するための包装用箱において、十分な緩衝効果を得ることができ、かつ簡易に製造でき低コストな緩衝部の構成を種々検討した結果、図３（ａ）（ｂ）に示すように、２重構造部と包装用箱の内部に収納される物品とが当接されて物品が支持される位置に、２重構造を支持する支持部を設けることに想到した。そして、このように位置設定することにより、衝撃によって撓み難い部位によって物品が当接支持されるので、衝撃が緩衝されると共に、物品ががたつかず安定的に支持されること、すなわち十分な緩衝効果が得られること、に想到した。
【００４４】
このような考察に基づき、本例の緩衝部Ｒは、当接部２２ａの一端を支持する連結支持部２２ｂを、天面の短辺長さの中央付近を通り長辺方向に平行となるように配設した。つまり、連結支持部２２ｂの位置を、図７（ｂ）に示すように、包装用箱Ｓの内部空間に横一列に並べて収納されたアンプル２の各々の長さ方向の中央付近を横切るように位置設定した。また、連結支持部２２ｂの長さを、その両端Ｎ，Ｍが、両端に位置するアンプル２ａ，２ｂの中心にまで達するように設定した。図７（ｂ）において、緩衝部Ｒが設けられている部位、すなわち２重構造とされている部位を斜線で示している。
【００４５】
このような構成により、本例の緩衝部Ｒは、当接部２２ａ（図３参照）の一端が、収納された全てのアンプル２の中央付近と当接され、かつ、この当接位置で連結支持部２２ｂにより支持されている。これにより、外部から衝撃が加えられても、アンプル２の中央付近では、紙材からなる連結支持部２２ｂの弾性力によって衝撃が緩衝されており、当接部２２ａが撓むことがない。このように、アンプル２と当接部２２ａとが当接される天面中央部に緩衝部を設ければ、アンプル２を、その中央付近で、当接部２２ａによりがたつくことなく支持することができる。
このように、本例の構成では、確実に緩衝効果を得ることができ、確実に物品の破損を防止することができる。また、液注製剤のアンプルなどの重量のある内容物に対しても十分な緩衝効果が発揮されるので、破損等が確実に防止される。
【００４６】
なお、本例の緩衝部Ｒは、当接部２２ａのもう一方の端部が下側板３３（図３参照）により支持されており、この端部付近においても、連結支持部２２ｂにより支持される端部と同様に、衝撃が緩衝されて当接部２２ａが撓むことがない。本例では、下側板３３側がアンプル底部側となるように全てのアンプルが配置されており、かつ、アンプル２は中央部と底部とが略同径とされているので、当接部２２ａは、下側板３３側の端部において、全てのアンプル２と当接される。従って、全てのアンプル２の底部が当接部２２ａによりがたつくことなく支持される。このように、全てのアンプルが、中央部と底部の２箇所においてがたつくことなく支持されていると、従来の２重構造からなる緩衝構造と比較して緩衝効果が大幅に改善されるので、破損等が確実に防止される。
【００４７】
（改変例１：緩衝部の位置及び形状の改変）
本発明の緩衝部Ｒの位置及び形状は、上記実施例以外にも様々に改変することが可能である。図８（ｂ）〜（ｇ）に、改変例１の包装用箱に設けられた緩衝部Ｒの位置及び形状を示す。また、図８（ａ）は上記実施例の包装用箱Ｓにおける緩衝部Ｒの位置及び形状である。図８には、図７（ｂ）と同様に、緩衝部Ｒが設けられている部位、すなわち２重構造とされている部位を斜線で示している。
図８（ｂ）に示す包装用箱Ｓ１は、緩衝部形成板２２を台形状とせず、矩形状としたものである。本例では、連結支持部１２２ｂが、箱の両端に収納されたアンプル２ａ，２ｂの中央よりも若干外側まで届く幅とされており、より確実に両端のアンプルを含む全アンプルが当接支持されている。また、図８（ｃ）に示す包装用箱Ｓ２では、連結支持部２２２ｂの両端が下箱部３０の短辺側の両側面まで届く長さとされている。また、図８（ｄ）に示す改変例の包装用箱Ｓ３の連結支持部３２２ｂは、図８（ｂ）、図８（ｃ）に示す改変例を組み合わせたものである。
【００４８】
図８（ｅ）に示す包装用箱Ｓ４は、連結支持部４２２ｂが、天面の短辺長さの中央ではなく、若干アンプル２の首側に寄った位置に設けられている。また、図８（ｆ）に示す包装用箱Ｓ５は、連結支持部５２２ｂが、天面の各辺に対して斜めに設けられたものである。そして、図８（ｇ）に示す包装用箱Ｓ６は、連結支持部６２２ｂの中央部が天面の短辺長さの略中央に設けられ、中央部から両端部の間に段差が形成され、両端部は若干アンプル２の底側に寄った位置に設けられたものである。
これらの各改変例は、いずれも、２重構造部と包装用箱の内部に収納される物品とが当接されて物品が支持される位置に、２重構造を支持する支持部が設けられている。従って、衝撃によって撓み難い部位によって物品が当接支持され、衝撃が緩衝されると共に、物品ががたつかず安定的に支持され、十分な緩衝効果が得られる。
【００４９】
（改変例２：開封面の位置の改変）
上記各実施例では、天面から開封することを前提として包装用箱を形成していたが、本発明は、側面から開封する包装用箱にも適用することができる。図９、図１０は、改変例２の包装用箱Ｓ７、Ｓ８の構成を示す説明図である。
本例の包装用箱Ｓ７は、図９（ａ）に示すように、天面板７１０、側板７３３、底板７３１、側板７３２、の順に折れ線を介して連設されたブランク板を折り曲げ組み立てて形成されている。また、天面板７１０と略平行に当接部７２２ａが設けられ、天面板７１０の箱内部側に緩衝空間Ｒ１が形成されている。当接部７２２ａは一端が側板７３３に接続され他端が連結支持部７２２ｂに接続されている。連結支持部７２２ｂは、天面板７１０の略中央部において天面板７１０と略垂直となるように設けられている。そして、連結支持部７２２ｂの他端は、側板７３２の先端に接続され天面板７１０の略中央まで延出された接続板７３６の先端に接続されている。
【００５０】
また、本例の包装用箱Ｓ８は、図１０（ａ）に示すように、天面板８１０、側板８３３、底板８３１、側板８３２、を備えている。この包装用箱Ｓ８は、当接部８２２ａが側板８３２でなく側板８３３の上端から延出されている点、天面板８１０の先端に側板８３３を覆うフラップ８３３ａが設けられている点、において包装用箱Ｓ７と異なっているが、上記各実施例と同様に、当接部８２２ａと連結支持部８２２ｂとによって、２重構造の緩衝空間Ｒ１が形成されている。
そして、本例の包装用箱Ｓ７、Ｓ８では、図９（ｂ）、図１０（ｂ）に示すように、側面に設けられた開封部を開封し、側面からアンプル２の取り出しを行う。以上のように、本発明の支持面及び当接面を有する緩衝構造は、本例のような天面開封型でない包装用箱に適用可能である。そして、上記各実施例と同様に、外部からの衝撃に対して十分な緩衝効果が得られ、内部の物品の破損及び散逸を効果的に防止することができる。
【００５１】
（改変例３：物品の積層数の改変）
上記各実施例では、内部にアンプル２を横一列に並べて収納していたが、本発明は、内部にアンプル２を積層させて収納する包装用箱に適用することができる。図１１は、改変例３の包装用箱Ｓ９の構成を示す説明図である。
本例の包装用箱Ｓ９は、図１１（ａ）に示すように、上蓋板９１０、側板９３２、底板９３１、側板９３３、中蓋板９２１、連結支持部９２２ｂ、当接部９２２ａ、の順に折れ線を介して連設されたブランク板を折り曲げ組み立てて形成されている。すなわち、この包装用箱Ｓ９は、最初の実施例及び改変例１と同様に天面開封型とされており、中蓋部に緩衝空間Ｒ１が設けられている。なお、図１１（ｂ）は図１１（ａ）のＣ１−Ｃ１断面図である。
【００５２】
本例では、箱内部にロンドレーション３を介してアンプル２が４層に積層されて収納されている。なお、積層数は２層あるいは３層でもよく、５層以上であってもよい。また、本例では、緩衝効果をさらに向上させるために、底面側にも２重構造部を設けている。すなわち、底板９３１の箱内部側に当接部９３１ａを設けている。なお、本例では底面側の２重構造部は底面全面にわたって２重構造となるように形成したが、天面側と同様に、底面の略中央部に当接部９３１ａを支持する支持部（上記連結支持部９２２ｂと同様の構成）を設けてもよい。このように、底面側にも緩衝構造を設けることにより緩衝効果を向上させ、積層されたアンプルを安定的に指示することができる。
【００５３】
（確認試験）
本願出願人は、上記考察に基づき作成した本発明の包装用箱と従来品とを用いて落下試験を行い、内容物の破損状況について確認した。以下に試験内容及び試験結果を示す。
【００５４】
（１）試験体
以下の３種類を用いた。試験を行うサンプル数は一種類につき１０点とした。各試験体には、箱の内容物として、液注製剤１０ｍＬアンプルを
公知のロンドレーションを用いて各々１０管ずつ横一列に収納した。
・試験体Ａ−１０：天面空隙なし（従来品の包装用箱に相当）
・試験体Ｂ−１０：天面半面空隙（本発明の包装用箱に相当）
・試験体Ｃ−１０：天面全面空隙（従来品の包装用箱に相当）
図１２、図１３に試験体の形状を示す。図１２（ａ）は平面図、図１２（ｂ）〜（ｄ）はそれぞれ試験体Ａ−１０、Ｂ−１０、Ｃ−１０の断面図である。各試験体の天面及び底面の平面形状は、図１２（ａ）に示す寸法Ｙ１が２３０ｍｍ、寸法Ｙ２が１０５ｍｍである。また、各試験体の厚み寸法は、図１２（ｂ）に示すように、試験体Ａ−１０が２５ｍｍ（寸法Ｚ１）である。また、試験体Ｂ−１０及びＣ−１０には天面側に厚み５ｍｍ（寸法Ｚ２）の緩衝部Ｒが設けられており、この緩衝部Ｒを含んだ厚み寸法は３０ｍｍである。
図１３（ａ）〜（ｃ）は、それぞれ、試験体Ａ−１０、Ｂ−１０、Ｃ−１０の組み立て途中の状態を示す斜視図である。図１３（ｂ）に示すように、本試験に用いられている本発明相当品の試験体は、緩衝部Ｒを天面の端から端まで設けたものである。
【００５５】
（２）試験方法
ＪＩＳ規格のクラフト紙袋落下試験方法（（１）面（天面））を適用して行った。落下高さは８０ｃｍとした。また、試験装置として吉田精機製の包装貨物落下試験機ＤＴ−５０を使用した。
【００５６】
（３）結果
【表１】
2006312491.tif 000003
表１に、アンプル破損数及びアンプル破損が認められた試験体（包装用箱）の数を示す。従来品の包装用箱に相当する試験体（Ｃ−１０）では、破損が１００管中５管（１０箱中５箱）発生しているのに対し、本発明相当品（Ｂ−１０）では、１０ｍＬアンプルの破損は全く発生しなかった。このように、本発明相当品（Ｂ−１０）の方が、従来品（Ｃ−１０）に比べて内容物の破損が少なく、落下時の耐衝撃性が高いという結果が得られた。
なお、アンプルの破損部位は、ほとんどがアンプルの首の部分（調剤時に折る部分）であった。
【００５７】
また、上記実験結果に基づく考察によれば、本発明の包装用箱は、以下の作用効果を奏する。
従来品（Ｃ−１０）の構成であっても、緩衝部Ｒの空隙寸法（図１２（ｄ）における寸法Ｚ２）を大きくすることにより、衝撃がアンプルに伝達されにくくなることが予想される。すなわち、空隙寸法が大きければ、空隙寸法が小さい場合に比べて、外部からの衝撃により緩衝部の箱外部側の面に発生した撓みが、緩衝部の箱内側の面に伝達されにくい。従って、衝撃が伝達されにくく、緩衝効果が高まると考えられる。
一方、空隙寸法を大きくすると、包装用箱の厚み方向の外形寸法が増大し、包装用箱の体積が増大する。従って、保存時及び輸送時に広いスペースを必要とすることになり、保存時及び輸送時のコストが上昇する。また、箱形成用基板の面積が増大するので、材料コストが上昇するという問題点も発生する。
このように、本発明の緩衝部Ｒを備えた包装用箱は、緩衝部Ｒを天面全面ではなく天面の一部分に設けることにより、緩衝部Ｒの空隙寸法を小さく保ちながら、すなわち、包装用箱の占有体積を抑制しながら、効果的な緩衝効果を得ることができるという効果を奏する。
【図面の簡単な説明】
【００５８】
【図１】本発明の一実施形態に係る包装用箱の開封前の状態を示す斜視図である。
【図２】本発明の一実施形態に係る包装用箱の開封後の状態を示す斜視図である。
【図３】開封前及び開封後の包装用箱を示す断面図である。
【図４】本発明の一実施形態に係る包装用箱を形成するための箱形成用基板の展開図である。
【図５】本発明の一実施形態に係る包装用箱の組み立て過程を示す説明図である。
【図６】本発明の一実施形態に係る包装用箱の組み立て過程を示す説明図である。
【図７】アンプルを包装用箱に収納する状態を示す説明図である。
【図８】改変例１の緩衝部の位置及び形状を示す説明図である。
【図９】改変例２の包装用箱の構成を示す説明図である。
【図１０】改変例２の包装用箱の構成を示す説明図である。
【図１１】改変例３の包装用箱の構成を示す説明図である。
【図１２】落下試験に使用した試験体の構成を示す説明図である。
【図１３】落下試験に使用した試験体の構成を示す説明図である。
【図１４】従来例の緩衝２重構造による緩衝効果を示す説明図である。
【符号の説明】
【００５９】
１‥‥‥‥‥‥‥箱形成用基板
２，２ａ，２ｂ‥アンプル
３‥‥‥‥‥‥‥ロンドレーション
１０，９１０‥‥上蓋板
１１‥‥‥‥‥‥開封片
１２（１２ａ、１２ｂ）‥切込み
２０‥‥‥‥‥‥中蓋部
２１，９２１‥‥中蓋板
２２‥‥‥‥‥‥緩衝部形成板
２２ａ，７２２ａ，８２２ａ，９２２ａ，９３１ａ‥当接部
２２ｃ‥‥‥‥‥固定部
２２ｂ，１２２ｂ，２２２ｂ，３２２ｂ，４２２ｂ，５２２ｂ，６２２ｂ，７２２ｂ，８２２ｂ，９２２ｂ‥‥連結支持部
２２ｄ，２２ｅ‥切込み
２３，２４‥‥‥上側板
３０‥‥‥‥‥‥下箱部
３１，７３１，８３１，９３１‥‥‥底板
３２，３３，３４，３５‥‥‥‥‥‥下側板
４１，４２，４３，４４，８３３ａ‥フラップ
７１０，８１０‥天面板
７３２，７３３，８３２，８３３，９３２，９３３‥側板
７３６‥‥‥‥‥接続板
ａ，ｂ‥‥‥‥‥矢印
Ａ，Ｂ，Ｃ，Ｄ‥折れ線
Ｎ，Ｍ‥‥‥‥‥両端
Ｒ‥‥‥‥‥‥‥緩衝部
Ｒ１‥‥‥‥‥‥緩衝空間
Ｓ，Ｓ１，Ｓ２，Ｓ３，Ｓ４，Ｓ５，Ｓ６，Ｓ７，Ｓ８，Ｓ９‥包装用箱
Ｘ，Ｙ１，Ｙ２，Ｚ１，Ｚ２‥寸法
【図１】
2006312491.tif 000004
【図２】
2006312491.tif 000005
【図３】
2006312491.tif 000006
【図４】
2006312491.tif 000007
【図５】
2006312491.tif 000008
【図６】
2006312491.tif 000009
【図７】
2006312491.tif 000010
【図８】
2006312491.tif 000011
【図９】
2006312491.tif 000012
【図１０】
2006312491.tif 000013
【図１１】
2006312491.tif 000014
【図１２】
2006312491.tif 000015
【図１３】
2006312491.tif 000016
【図１４】
2006312491.tif 000017
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
略矩形状の底面及び天面と、該底面と該天面とを接続する側面と、前記天面に沿って配設された緩衝部と、を備え、該緩衝部と前記底面との間に２以上の同一物品を略水平に並べて収納可能に形成された包装用箱であって、
前記緩衝部は１片の緩衝部形成片を折り曲げ組み立てて形成され、
該緩衝部形成片は、一端が前記天面の所定位置に接続され前記天面に対して略垂直をなす支持面を形成する支持片と、該支持片の他端に一端が接続され他端が前記側面に接続されると共に前記天面に略平行かつ前記天面と所定間隔をなすように位置される当接面を形成する当接片と、を有し、該当接片と前記支持片とを折れ線を介して連設して形成され、
前記当接面は、前記底面と所定間隔をなす位置に固定されて前記２以上の同一物品の全てに当接され、前記当接面は、前記２以上の同一物品の各々との当接位置において前記支持面に接続されたことを特徴とする包装用箱。
【請求項２】
前記緩衝部は前記天面の一部を閉鎖した状態に固定され、前記天面の前記緩衝部により閉鎖されない部位から前記２以上の同一物品の全てを取り出し可能に形成されたことを特徴とする請求項１に記載の包装用箱。
【請求項３】
略矩形状の底面と側面とを有し天面が開放された下箱と、前記天面の一部を閉鎖する中蓋と、前記天面を前記中蓋の上から覆うように設けられ、前記天面のうち前記中蓋により閉鎖されない部位を含んで閉鎖する上蓋と、を備え、前記下箱内に２以上の同一物品を略水平に並べて収納可能に形成された包装用箱であって、
前記中蓋は１片の中蓋形成片を折り曲げ組み立てて形成され、
該中蓋形成片は、一端が前記下箱の一側面上端に接続する中蓋面を形成する中蓋片と、前記中蓋面の前記底面側に該中蓋面と略平行をなすように組み立てられ一端が前記一側面に接続される当接面を形成する当接片と、前記中蓋面と前記当接面とに略垂直をなすように接続され前記中蓋面と前記当接面とを所定の間隔をなすように連結する支持面を形成する支持片と、を有し、前記当接片、前記支持片、前記中蓋片、の順に折れ線を介して連設して形成されてなり、
前記中蓋片の外周の３辺が前記下箱の前記側面のうち３面に接続されたことにより、前記当接面が前記底面と所定間隔をなす位置に固定されて前記２以上の同一物品の全てに当接され、前記当接面は、前記２以上の同一物品の各々との当接位置において前記支持面に接続されたことを特徴とする包装用箱。
【請求項４】
前記上蓋を形成する上蓋片、前記下箱の側面を構成する第１側面片、前記下箱の底面を形成する底面片、前記第１側面片に対向する側面を形成する第２側面片、前記中蓋片、の順に折れ線を介して連設され、
前記底面片の両側にそれぞれ第３側面片、第４側面片が折れ線を介して設けられ、前記第１側面片及び前記第２側面片の両側にそれぞれフラップ片が折れ線を介して設けられ、前記中蓋片の両側に前記第３側面片、前記第４側面片をそれぞれ外側から覆う第５側面片、第６側面片が折れ線を介して設けられてなる１枚の箱形成用基板を折り曲げて形成されることを特徴とする請求項３に記載の包装用箱。
【請求項５】
前記中蓋片には、前記下箱の側面上端に接続された側と反対側の端部に一対の切込みが形成され、該切込みにより、前記中蓋片の一部に切り起こし片が形成され、
該切り起こし片は、その基部側が前記支持片となされ、先端側が前記当接片となされることを特徴とする請求項３または請求項４に記載の包装用箱。
【請求項６】
前記中蓋は前記天面の一部を閉鎖した状態に固定され、前記天面の前記中蓋により閉鎖されない部位から前記２以上の同一物品の全てを取り出し可能に形成されたことを特徴とする請求項１に記載の包装用箱。
【請求項７】
前記支持面と前記当接面との接続部が、前記下箱の側面のうち、前記当接片が接続される側面に隣接する側面から該側面に対向する側面まで届くように設けられてなることを特徴とする請求項３に記載の包装用箱。
【請求項８】
前記支持面は、前記当接片が接続される側面と略平行であって前記天面の略中央に位置されることを特徴とする請求項１、請求項３、請求項７のいずれか一項に記載の包装用箱。
【請求項９】
前記上蓋には破断可能な切込みが形成され、該切込みにより開封可能に構成されてなることを特徴とする請求項３または請求項４に記載の包装用箱。
【手続補正２】
【補正対象書類名】明細書
【補正対象項目名】０００９
【補正方法】変更
【補正の内容】
【０００９】
前記課題は、請求項１に係る包装用箱によれば、略矩形状の底面及び天面と、該底面と該天面とを接続する側面と、前記天面に沿って配設された緩衝部と、を備え、該緩衝部と前記底面との間に２以上の同一物品を略水平に並べて収納可能に形成された包装用箱であって、前記緩衝部は１片の緩衝部形成片を折り曲げ組み立てて形成され、該緩衝部形成片は、一端が前記天面の所定位置に接続され前記天面に対して略垂直をなす支持面を形成する支持片と、該支持片の他端に一端が接続され他端が前記側面に接続されると共に前記天面に略平行かつ前記天面と所定間隔をなすように位置される当接面を形成する当接片と、を有し、該当接片と前記支持片とを折れ線を介して連設して形成され、前記当接面は、前記底面と所定間隔をなす位置に固定されて前記２以上の同一物品の全てに当接され、前記当接面は、前記２以上の同一物品の各々との当接位置において前記支持面に接続されたことにより解決される。
【手続補正３】
【補正対象書類名】明細書
【補正対象項目名】００１０
【補正方法】変更
【補正の内容】
【００１０】
このように、本発明では、略矩形状の底面と天面を側面により接続して形成した包装用箱の天面に沿って緩衝部が設けられている。この緩衝部は、天面と略平行かつ天面と所定間隔をなす位置に設けられた当接面を備えている。つまり、この緩衝部は、天面と当接面との間に緩衝空間を設けた２重構造部とされている。
そして、本発明では、包装用箱の内部すなわち緩衝部と底面との間に２以上の同一物品を略水平に並べて収納可能となっており、これらの物品の全てが、天面側に緩衝空間を有する当接面により当接支持される。この当接面は、２以上の同一物品の各々との当接位置において支持面に接続されるように位置設定されている。２重構造の緩衝部は、支持面が設けられていない位置では、衝撃によって当接面が容易に撓むために十分な緩衝効果が得られない。これに対し、支持面が設けられた位置では、支持面により当接面が弾性的に支持されているので当接部が撓みにくい。つまり、支持面が設けられた位置で当接面に物品が当接されていれば、外部からの衝撃に対して十分な緩衝効果が得られるので、物品はがたつくことなく確実に支持される。
以上のように、本発明では、２以上の同一物品を略水平に並べて収納可能な包装用箱の緩衝部が、収納された物品の全てと当接面との当接位置において当接面が支持面に接続されるように構成されている。従って、２以上の同一物品の全てが、当接面のうち、支持面により弾性的に支持されている部位によって当接支持される。よって、収納された２以上の同一物品の全てについて外部からの衝撃に対して十分な緩衝効果が得られ、物品の破損及び散逸を効果的に防止することができる。
【手続補正４】
【補正対象書類名】明細書
【補正対象項目名】００１２
【補正方法】変更
【補正の内容】
【００１２】
また、請求項２に記載したように、前記緩衝部は前記天面の一部を閉鎖した状態に固定され、前記天面の前記緩衝部により閉鎖されない部位から前記２以上の同一物品の全てを取り出し可能に形成されていると好適である。このように構成すると、天面の開封と同時に天面側に収納物品の取り出し口を確保することができる。従って、収納物品の外観及び数量を取り出し口から確認することができる。また、開封状態において、収納物品を落下させる可能性が低い。
【手続補正５】
【補正対象書類名】明細書
【補正対象項目名】００１３
【補正方法】変更
【補正の内容】
【００１３】
また、前記課題は、請求項３に係る包装用箱によれば、略矩形状の底面と側面とを有し天面が開放された下箱と、前記天面の一部を閉鎖する中蓋と、前記天面を前記中蓋の上から覆うように設けられ、前記天面のうち前記中蓋により閉鎖されない部位を含んで閉鎖する上蓋と、を備え、前記下箱内に２以上の同一物品を略水平に並べて収納可能に形成された包装用箱であって、前記中蓋は１片の中蓋形成片を折り曲げ組み立てて形成され、該中蓋形成片は、一端が前記下箱の一側面上端に接続する中蓋面を形成する中蓋片と、前記中蓋面の前記底面側に該中蓋面と略平行をなすように組み立てられ一端が前記一側面に接続される当接面を形成する当接片と、前記中蓋面と前記当接面とに略垂直をなすように接続され前記中蓋面と前記当接面とを所定の間隔をなすように連結する支持面を形成する支持片と、を有し、前記当接片、前記支持片、前記中蓋片、の順に折れ線を介して連設して形成されてなり、前記中蓋片の外周の３辺が前記下箱の前記側面のうち３面に接続されたことにより、前記当接面が前記底面と所定間隔をなす位置に固定されて前記２以上の同一物品の全てに当接され、前記当接面は、前記２以上の同一物品の各々との当接位置において前記支持面に接続されたことにより解決される。
【手続補正６】
【補正対象書類名】明細書
【補正対象項目名】００１５
【補正方法】変更
【補正の内容】
【００１５】
また、本発明では中蓋面の底面側に、中蓋面と略平行に当接面が設けられ、かつ、この中蓋面と当接面とを所定の間隔をなすように連結する支持面が設けられているので、中蓋面と当接面との間に緩衝空間を設けることができる。つまり、天面に２重構造部を設けることができる。このような構成において、請求項１と同様に、包装用箱の下箱内部に収納された２以上の同一物品は、天面側に緩衝空間を有する当接面によりその全てが当接支持される。そして、この当接面は、２以上の同一物品の各々と当接する位置において支持面に接続されるように位置設定されている。従って、外部からの衝撃に対して十分な緩衝効果が得られ、物品の破損及び散逸を効果的に防止することができる。
また、本発明では、このような緩衝効果を有する中蓋を、当接片、支持片、中蓋片、の順に折れ線を介して連設してなる１枚の中蓋形成片を折り曲げて形成する。従って、請求項１と同様に、一枚紙によって天面の一部を構成する中蓋の底面側に緩衝部を立体的に立ち上げることができるので、製造工程が簡易化され、低コストで製造可能とされる。
【手続補正７】
【補正対象書類名】明細書
【補正対象項目名】００１６
【補正方法】変更
【補正の内容】
【００１６】
また、請求項４に記載のように、前記上蓋を形成する上蓋片、前記下箱の側面を構成する第１側面片、前記下箱の底面を形成する底面片、前記第１側面片に対向する側面を形成する第２側面片、前記中蓋片、の順に折れ線を介して連設され、前記底面片の両側にそれぞれ第３側面片、第４側面片が折れ線を介して設けられ、前記第１側面片及び前記第２側面片の両側にそれぞれフラップ片が折れ線を介して設けられ、前記中蓋片の両側に前記第３側面片、前記第４側面片をそれぞれ外側から覆う第５側面片、第６側面片が折れ線を介して設けられてなる１枚の箱形成用基板を折り曲げて形成されていると好適である。このように、１枚の基板の折り曲げによって包装用箱及び緩衝構造を形成することにより、製造工程を簡易化することが可能となる。
【手続補正８】
【補正対象書類名】明細書
【補正対象項目名】００１８
【補正方法】変更
【補正の内容】
【００１８】
また、請求項６に記載のように、前記中蓋は前記天面の一部を閉鎖した状態に固定され、前記天面の前記中蓋により閉鎖されない部位から前記２以上の同一物品の全てを取り出し可能に形成されると好適である。このように構成すると、上蓋の開封と同時に天面側に収納物品の取り出し口を確保することができる。従って、収納物品の外観及び数量を取り出し口から確認することができる。また、開封状態において、収納物品を落下させる可能性が低い。
【手続補正９】
【補正対象書類名】明細書
【補正対象項目名】００１９
【補正方法】変更
【補正の内容】
【００１９】
また、請求項７に記載のように、前記支持面と前記当接面との接続部が、前記下箱の側面のうち、前記当接片が接続される側面に隣接する側面から該側面に対向する側面まで届くように設けられてなると好適である。このように構成すると、下箱の側面のうち、中蓋片が接続する一側面に沿って一列に物品を並べる場合に、物品が並ぶ方向の全範囲にわたって当接面が設けられ、かつ、その全範囲が支持面により弾性的に支持されるので、収納された物品の全てをより確実に支持することができる。従って、収納された物品の全てに対して十分な緩衝効果及び物品の散逸防止効果が得られ、より効果的に物品の破損及び散逸を防止することができる。
【手続補正１０】
【補正対象書類名】明細書
【補正対象項目名】００２０
【補正方法】変更
【補正の内容】
【００２０】
また、請求項８に記載のように、前記支持面は、前記当接片が接続される側面と略平行であって前記天面の略中央に位置されるように構成すると好適である。このように、支持面が天面の略中央に位置されていれば、物品に確実に当接する位置において十分な緩衝効果を得ることができ、より効果的に物品の破損及び散逸を防止することができる。
【手続補正１１】
【補正対象書類名】明細書
【補正対象項目名】００２２
【補正方法】変更
【補正の内容】
【００２２】
本発明の包装用箱によれば、以下のような効果を生ずる。
（イ）天面と略平行かつ天面と所定の間隔をなすように当接面を設けることにより天面が一部２重構造とされている。そして、収納された２以上の同一物品の各々と当接面との当接位置において当接面が支持面に接続されている。支持面が設けられた位置では、支持面により当接面が弾性的に支持されているので当接部が撓みにくい。従って、このように構成すると、外部からの衝撃に対して、２以上の同一物品の全てについて十分な緩衝効果が得られ、内部の物品の破損及び散逸を効果的に防止することができる。
【手続補正１２】
【補正対象書類名】明細書
【補正対象項目名】００２３
【補正方法】変更
【補正の内容】
【００２３】
（ロ）収納される物品の形状、大きさ、配列に応じて支持面の位置を調整することで、収納された物品の全てに対して十分な緩衝効果が得られるように構成することができる。
例えば、天面の略中央に支持面を設ければ、物品に確実に当接する天面中央部において十分な緩衝効果を得ることができる。従って、より効果的に物品の破損及び散逸を防止することができる。
【手続補正１３】
【補正対象書類名】明細書
【補正対象項目名】００２５
【補正方法】変更
【補正の内容】
【００２５】
（ニ）上蓋を開封することにより、天面の開口部分から内部の物品が取り出し可能とされる。よって、開封後の物品の取り出しが容易であり、好適である。また、破断可能な切込みが設けられているので、上蓋板を引っ張って切り開くことが可能とされている。従って、容易に上蓋を開封することができる。
（ホ）当接面が前記底面と所定間隔をなす位置に固定されているため、天面を開封しても、物品が緩衝部によって当接支持されている。よって、開封時に物品を落下等により破損させる可能性が低い。また、当接面（中蓋）により閉鎖されない部位から２以上の同一物品を取り出し可能に形成されている。従って、天面の開封と同時に天面側に収納物品の取り出し口を確保することができる。よって、収納物品の外観及び数量を取り出し口から確認することができる。また、開封状態において、収納物品を落下させる可能性が低い。